(57)【要約】【課題】開閉用のデッドスペースを小さくする。【解決手段】吊元扉１０、手先扉２０、案内扉３０を順に屈曲自在に連結する。案内扉３０は、水平回転形のガイドローラ３１、３１を介して前後に直線運動し、吊元扉１０、手先扉２０は、開口部Ｋの片側にのみ突出して屈曲する。【選択図】　図１
2004124626.tif 000002
【特許請求の範囲】
【請求項１】
各１枚の吊元扉、手先扉、案内扉を順に屈曲自在に連結してなり、前記案内扉は、開口部の上部のガイドレールと組み合わせる水平回転形のガイドローラを介して前後に直線運動し、前記吊元扉、手先扉は、前記案内扉を吊元側に後退させることにより、開口部の片側にのみ突出しながら折り畳まれて開口部を開き、前記案内扉を手先側に前進させることにより、前記案内扉とともに一直線状に配列されて開口部を閉じることを特徴とする折畳み扉。
【請求項２】
前記ガイドローラの下面は、前記ガイドレールの上向きの係合リブに係合することを特徴とする請求項１記載の折畳み扉。
【請求項３】
吊元側、手先側の各竪枠、上枠には、それぞれ閉鎖時の前記吊元扉、手先扉、案内扉をシールするシールパッキンを装着することを特徴とする請求項１または請求項２記載の折畳み扉。
【請求項４】
前記案内扉には、把手を付設することを特徴とする請求項１ないし請求項３のいずれか記載の折畳み扉。
【請求項５】
前記手先扉には、把手を付設することを特徴とする請求項１ないし請求項４のいずれか記載の折畳み扉。
【発明の詳細な説明】
【０００１】
【発明の属する技術分野】
この発明は、開閉操作が簡単であり、狭少なスペースにも好適に設置し得る折畳み扉に関する。
【０００２】
【従来の技術】
折畳み扉は、一般に戸袋を要しないので、トイレや、風呂場などの狭少なスペースに対し、好適に適用することができる。
【０００３】
従来の折畳み扉は、１枚の吊元扉と、１枚以上の手先扉とを屈曲自在に連結して構成されている。吊元扉、各手先扉は、それぞれの幅方向の中間位置において、開口部の上部のガイドレールから回転自在に吊下されており、吊元扉は、各手先扉の半幅に形成されている。そこで、このものは、先頭の手先扉を吊元側に駆動することによって、各手先扉が中間位置の吊下点を中心にして順次逆方向に回転し、吊元扉、各手先扉を吊元側に折り畳むようにして開口部を開くことができる。
【０００４】
【発明が解決しようとする課題】
かかる従来技術によるときは、各手先扉は、開口部を開く際に、開口部の両側、すなわち室内側、室外側の双方に半幅ずつ突出するようにして折り畳まれるから、開口部の両側に開閉用のデッドスペースを生じ、狭少なスペースに設置することができない場合がある上、開き操作の際の操作部となる先頭の手先扉も、開き操作の開始とともに回転し始めるため、操作に異和感があり、老人や幼児などによる円滑な開閉操作が難しいという問題があった。
【０００５】
そこで、この発明の目的は、かかる従来技術の問題に鑑み、手先扉の先端に直線運動する案内扉を連結することによって、引き戸と同様に開閉操作が簡単である上、狭少なスペースにも好適に設置することができる折畳み扉を提供することにある。
【０００６】
【課題を解決するための手段】
かかる目的を達成するためのこの発明の構成は、各１枚の吊元扉、手先扉、案内扉を順に屈曲自在に連結してなり、案内扉は、開口部の上部のガイドレールと組み合わせる水平回転形のガイドローラを介して前後に直線運動し、吊元扉、手先扉は、案内扉を吊元側に後退させることにより、開口部の片側にのみ突出しながら折り畳まれて開口部を開き、案内扉を手先側に前進させることにより、案内扉とともに一直線状に配列されて開口部を閉じることをその要旨とする。
【０００７】
なお、ガイドローラの下面は、ガイドレールの上向きの係合リブに係合することができ、吊元側、手先側の各竪枠、上枠には、それぞれ閉鎖時の吊元扉、手先扉、案内扉をシールするシールパッキンを装着することができる。
【０００８】
また、案内扉には、把手を付設してもよく、手先扉には、把手を付設してもよい。
【０００９】
【作用】
かかる発明の構成によるときは、手先扉の先端の案内扉は、開閉操作によって回転することがなく、単に吊元側に後退し、手先側に前進するように直線運動するだけである。そこで、案内扉を操作部とする開閉操作は、引き戸のそれと実質的に変わることがなく、何らの異和感を覚えることもない。また、案内扉は、水平回転形のガイドローラを使用することにより、垂直回転形の吊り車を使用する場合に比して、開閉操作の円滑性を格段に向上させることができる。吊り車は、外周上の一点でガイドレールに係合するため、進行方向に対して僅かでも傾くと、こじれを生じるおそれがあるが、水平回転形のガイドローラは、ガイドレールとの間にこじれを生じる余地がないからである。また、吊元扉、手先扉は、開閉操作時や閉鎖時において、開口部の片側、すなわち室内側、室外側の一方の側にのみ突出するから、開口部の両側に開閉用のデッドスペースを生じることもない。
【００１０】
なお、吊元扉を回転可能に支持するヒンジは、吊元扉、手先扉、案内扉の全体を片支持し得るものとし、案内扉のガイドローラには、案内扉の重量が基本的に負荷されないものとする。また、案内扉は、吊元側に後退させて開口部を開いても、開口部と平行に開口部の一部を閉じたまま静止する。そこで、案内扉は、少なくとも前後一対のガイドローラを付設し、ガイドレールを介して前後の円滑な直線運動を実現し得る限り、その幅を最小にすることが好ましく、実質的に単なる開閉操作用の竪框相当の部材であってもよいものとする。
【００１１】
ガイドローラは、その下面をガイドレールの上向きの係合リブに係合させることにより、係合リブに係合したまま水平回転し、ガイドローラにかかる下向きの荷重を支持しながら案内扉を前後に移動させることができる。ただし、このような下向きの荷重は、案内扉に過大な荷重が負荷された場合にだけ生じる可能性がある。案内扉は、吊元側のヒンジにより、吊元扉、手先扉を介して基本的に片持ち支持することができるからである。
【００１２】
吊元側、手先側の各竪枠、上枠に装着するシールパッキンは、それぞれ閉鎖時の吊元扉の吊元側、案内扉の手先側、吊元扉、手先扉、案内扉の上端側をシールすることによって、遮音性、遮光性を高め、扉全体としての閉鎖性能を向上させることができる。なお、吊元扉、手先扉、案内扉には、それぞれたとえば閉鎖時に床面に自動的に接地する可動形のシール材を組み込み、これらのシール材を介し、吊元扉、手先扉、案内扉の下端と床面との間の隙間をシールしてもよい。
【００１３】
案内扉に付設する把手は、開閉操作用の着力点として利用することができる。なお、案内扉の把手は、案内扉の両面に対し、上下方向に設けることが好ましい。一方、手先扉に付設する把手は、たとえば開き操作の開始時において、手先扉を折畳み方向に回転させるために、補助的な着力点として利用する。ただし、手先扉の把手は、折畳み時に吊元扉に対面しない側の片側に対し、水平方向に設けることが好ましい。
【００１４】
【発明の実施の形態】
以下、図面を以って発明の実施の形態を説明する。
【００１５】
折畳み扉は、各１枚の吊元扉１０、手先扉２０、案内扉３０を順に屈曲自在に連結してなる（図１、図２）。ただし、折畳み扉は、吊元側の竪枠４０、手先側の竪枠５０、上枠６０を介し、建物の室内側、室外側を連通させる開口部Ｋに設置されている。
【００１６】
吊元側の竪枠４０は、室内側の枠材４１、室外側の枠材４２と、支持材４３、４４とを組み合わせて構成されている（図１）。なお、枠材４１、４２、支持材４３、４４は、それぞれ板材を折り曲げて形成されている。枠材４１、支持材４３は、枠材４１側の補助材４１ａを併用して壁内の図示しない建物の構造材に固定されており、支持材４４には、スペーサ４５ａを介し、吊元側のヒンジ４５が取り付けられている。また、竪枠４０には、支持材４４、枠材４２を利用して、室内側に向けてシールパッキン４６が装着されている。
【００１７】
手先側の竪枠５０は、板材を折り曲げて形成する室内側の枠材５１、室外側の枠材５２を組み合わせて構成されている。枠材５１、５２は、共通の補助材５３を介して壁内の図示しない建物の構造材に固定されており、枠材５１には、開口部Ｋに向けて開口する戸当り用の浅い溝部５１ａが形成され、溝部５１ａの室外側の側壁面には、枠材５１、５２を利用して、室内側に向けてシールパッキン５４が装着されている。
【００１８】
上枠６０は、補助材６１ａを介して壁内の図示しない建物の構造材に連結する上部の枠材６１に対し、室内側の着脱自在のカバー６２、室外側の枠材６３を組み合わせて構成されている（図２）。カバー６２は、支持材６２ａを介して枠材６１に付設するフック材６２ｂに掛けられており、室外側の枠材６３の下端部には、別の補助材６３ａを介し、室内側に向けてシールパッキン６４が装着されている。なお、竪枠４０、５０、上枠６０のシールパッキン４６、５４、６４は、開口部Ｋの左右両側、上側を通り、一体に連続しているものとする。
【００１９】
上枠６０内には、吊下材６５ａ、６５ｂを介し、箱形のガイドレール６５が配設されている。ガイドレール６５は、開口部Ｋの全幅に延びており、ガイドレール６５の下面中央には、ガイド溝６５ｃが開口しており（図３）、ガイド溝６５ｃの両側には、一対の上向きの係合リブ６５ｄ、６５ｄが左右対称に形成されている。
【００２０】
吊元扉１０は、吊元側のヒンジ４５を介し、吊元側の竪枠４０により回転自在に支持されている（図１）。ただし、ヒンジ４５による吊元扉１０の回転中心は、開口部Ｋと平行な閉鎖状態の吊元扉１０の室外側に偏移しており、ヒンジ４５による吊元扉１０の回転範囲は、閉鎖状態から室内側に約９０°の範囲とする。なお、閉鎖状態の吊元扉１０は、ヒンジ４５に内蔵する図示しない付勢機構を介し、室内側に回転するように付勢することが好ましい。
【００２１】
手先扉２０は、上下のヒンジ１１、１１を介して吊元扉１０の先端に回転自在に連結されており、案内扉３０は、上下のヒンジ２１、２１を介して手先扉２０の先端に回転自在に連結されている。ただし、図１には、ヒンジ１１、１１、ヒンジ２１、２１の各一方のみが図示されている。ヒンジ１１、１１、ヒンジ２１、２１は、すべて同一構造であるものとし、吊元扉１０、手先扉２０の相対向する側端面の上下、手先扉２０、案内扉３０の相対向する側端面の上下にそれぞれ上下対称に付設されている（図４）。なお、図４には、吊元扉１０、手先扉２０の間の上のヒンジ１１が例示されている。
【００２２】
図４において、ヒンジ１１は、吊元扉１０、手先扉２０の各側端面に対称的に固定する半円以上の不完全ギヤ１１ａ、１１ａと、不完全ギヤ１１ａ、１１ａの各軸心を回転自在に連結するリンク１１ｂとを組み合わせて構成されている。不完全ギヤ１１ａ、１１ａは、リンク１１ｂを介して互いに噛合しており、吊元扉１０、手先扉２０は、上下のヒンジ１１、１１を介し、互いに捻れを生じることなく、左右に屈曲させることができる。なお、吊元扉１０、手先扉２０の各側端面には、不完全ギヤ１１ａの外周とほぼ同一外形の断面かまぼこ形のシール材１１ｃが上下のヒンジ１１、１１の間の全長に亘って付設されており、シール材１１ｃ、１１ｃは、吊元扉１０、手先扉２０の相対角度に拘らず、吊元扉１０、手先扉２０の間の隙間をシールすることができる。手先扉２０、案内扉３０も、上下のヒンジ２１、２１を介し、全く同様に連結されている。
【００２３】
案内扉３０の上端には、ガイドレール６５に係合する前後一対のガイドローラ３１、３１が付設されている（図２、図５）。各ガイドローラ３１の軸３１ａは、ガイドレール６５のガイド溝６５ｃを上下に通過し、案内扉３０の上端に固定する共通の連結材３１ｂの上面に立設されている。各ガイドローラ３１は、軸３１ａを介し、ガイドレール６５内において水平回転し、案内扉３０に負荷される下向きの荷重が大きいときは、その下面がガイドレール６５の上向きの係合リブ６５ｄ、６５ｄに対して上から係合可能である（図２、図５の各二点鎖線）。また、各ガイドローラ３１は、下面が係合リブ６５ｄ、６５ｄに係合しても、外周のリブ状の最大径部３１ｃを介し、ガイドレール６５の内面に接しながら円滑に水平回転して案内扉３０をガイドレール６５の長手方向にガイドすることができる。
【００２４】
案内扉３０の手先側の側端面には、クッション性の戸当り３２が上下方向に付設されている（図１）。また、案内扉３０の両面には、それぞれ把手３３が付設されている。各把手３３は、たとえば健常者、車椅子上の障害者が容易に握ることができるように、上下方向に十分長く形成されている。案内扉３０の下端には、床面Ｆとの間に必要最少の隙間ｄを生じるように、クッション性の戸ずり３４が付設されている（図２）。なお、吊元扉１０、手先扉２０の下端にも、それぞれ戸ずり３４と同様な図示しない戸ずりが付設されているものとする。
【００２５】
かかる折畳み扉は、吊元扉１０、手先扉２０、案内扉３０を開口部Ｋと平行に一直線状に配列することにより、開口部Ｋを閉じることができる（図１、図６の実線）。このとき、案内扉３０の戸当り３２は、手先側の竪枠５０の溝部５１ａに収納され、竪枠４０、５０、上枠６０のシールパッキン４６、５４、６４は、それぞれ吊元扉１０の吊元側、案内扉３０の手先側、吊元扉１０、手先扉２０、案内扉３０の上端側をシールすることができる。ただし、図１において、竪枠５０のシールパッキン５４は、案内扉３０に付設する戸当り３２の側面に接触するように図示されている。
【００２６】
閉鎖状態の折畳み扉を開き操作するときは、室内側または室外側において、案内扉３０の一方の把手３３を握り、案内扉３０を吊元側に駆動する（図６の矢印Ａ方向）。このとき、案内扉３０は、ガイドレール６５と組み合わせる前後のガイドローラ３１、３１を介して、案内扉３０自体が回転することなく吊元側に直線運動し（同図の二点鎖線）、同時に、吊元扉１０、手先扉２０は、ヒンジ１１、１１、２１、２１を介して室内側に屈曲する。そこで、案内扉３０をさらに吊元側に後退させると、吊元扉１０、手先扉２０は、吊元側において、室内側にほぼ直角に突出し、互いに折り重なるように折り畳まれて開口部Ｋを開くことができる（同図の一点鎖線）。すなわち、吊元扉１０、手先扉２０は、開き操作の開始から終了までの間に、室内側にのみ突出し、室外側に突出することがない。
【００２７】
折畳み扉を閉じ操作するときは、把手３３を介して案内扉３０を手先側に駆動する（図６の矢印Ｂ方向）。このときも、案内扉３０は、それ自体が回転することなく手先側に前進し、吊元扉１０、手先扉２０は、開き操作時と逆の軌跡を描いて元の閉鎖状態に復帰させることができる。
【００２８】
なお、図６の手先扉２０には、特に開き操作の開始時に手先扉２０を室内側に屈曲させる補助力を加えるために、水平方向の把手２２が付設されている。把手２２は、手先扉２０が突出する側の片面に対し、たとえば健常者、車椅子上の障害者の双方が握り易い高さ位置に固定することが好ましい。
【００２９】
開き操作時、閉じ操作時において、たとえば案内扉３０に下向きの過大な荷重が負荷されると、案内扉３０が下がってガイドローラ３１、３１の下面がガイドレール６５の係合リブ６５ｄ、６５ｄに係合する（図２、図５の各二点鎖線）。しかし、この場合であっても、ガイドローラ３１、３１は、係合リブ６５ｄ、６５ｄ上を滑りながら水平回転し、案内扉３０の直線運動の円滑性が損われることがない。
【００３０】
以上の説明において、吊元扉１０、手先扉２０の開き操作時の屈曲方向、突出方向は、室内側に代えて、室外側としてもよい。ただし、このとき、図１、図２、図６の室内側、室外側の表示は、それぞれ室外側、室内側と読み替えるものとする。
【００３１】
【他の実施の形態】
ガイドレール６５は、上下方向のウェブ６５ｅの下端に上向きの係合リブ６５ｄ、６５ｄを形成してもよい（図７（Ａ））。ただし、図７（Ｂ）、（Ｃ）は、それぞれ異なる実施の形態を示す同図（Ａ）のＹ−Ｙ線矢視相当断面図である。案内扉３０のガイドローラ３１、３１…は、ウェブ６５ｅを両側から挟み込むようにして前後各一対を設けてもよく（同図（Ａ）、（Ｂ））、ウェブ６５ｅの一方の片側に前後一対を設け、他方の片側の中間に１個を設けてもよい（同図（Ａ）、（Ｃ））。
【００３２】
案内扉３０は、うず巻きばね７１を介して手先側に付勢することができる（図８）。うず巻きばね７１は、引出し張力を調節設定し得るケース７１ａに収納されており、ガイドプーリ７１ｂを介し、案内扉３０に立設するブラケット７１ｃに連結されている。折畳み扉を自動閉鎖形に構成することができる。なお、図８において、吊元扉１０は、上部のヒンジ４５と、ヒンジ４５に対して上下対称に配設するピボット４５ｂとを介し、回転自在に支持されている。
【００３３】
また、案内扉３０は、ウェイト７２を介して手先側に付勢してもよい（図９）。ウェイト７２を吊下するワイヤ７２ａは、ガイドプーリ７２ｂを介して案内扉３０のブラケット７２ｃに連結されている。
【００３４】
以上の説明において、吊元扉１０、手先扉２０、案内扉３０には、折畳み扉の閉鎖時において床面Ｆに自動的に接地する可動形のシール材を個別に組み込んでもよい。各可動形のシール材は、折畳み扉の開き操作の開始によって機械的に上昇して床面Ｆから離れ、折畳み扉が閉鎖状態に復帰することにより、床面Ｆに再接地して吊元扉１０、手先扉２０、案内扉３０の下端と床面Ｆとの間の隙間をシールする。
【００３５】
また、案内扉３０には、閉鎖時の衝撃を緩和するために、図示しないダンパ機構を組み合わせてもよい。ダンパ機構は、図８、図９のような自動閉鎖形の折畳み扉に特に有効である。
【００３６】
【発明の効果】
以上説明したように、この発明によれば、吊元扉、手先扉、案内扉を屈曲自在に連結し、手先扉の先端に直線運動する案内扉を連結するとともに、開閉操作時において吊元扉、手先扉を開口部の片側にのみ突出させることによって、引き戸と異ならない操作感覚が得られるから、開閉操作が極めて簡単である上、開閉用のスペースを開口部の片側に設けるだけで済むから、狭少なスペースにも好適に設置可能であるという優れた効果がある。
【図面の簡単な説明】
【図１】全体構成横断面図
【図２】全体構成縦断面図
【図３】ガイドレールの拡大断面図
【図４】図１の要部拡大斜視図
【図５】図２のＸ−Ｘ線矢視相当拡大断面図
【図６】動作説明図
【図７】他の実施の形態を示す要部構成説明図
【図８】他の実施の形態を示す模式正面図
【図９】他の実施の形態を示す要部模式正面図
【符号の説明】
Ｋ…開口部
１０…吊元扉
２０…手先扉
２２…把手
３０…案内扉
３１…ガイドローラ
３３…把手
４０、５０…竪枠
６０…上枠
４６、５４、６４…シールパッキン
６５…ガイドレール
６５ｄ…係合リブ
【図１】
2004124626.tif 000003
【図２】
2004124626.tif 000004
【図３】
2004124626.tif 000005
【図４】
2004124626.tif 000006
【図５】
2004124626.tif 000007
【図６】
2004124626.tif 000008
【図７】
2004124626.tif 000009
【図８】
2004124626.tif 000010
【図９】
2004124626.tif 000011